(57)【特許請求の範囲】
【請求項１】
丁合された複数枚のカレンダー頁からなる冊子と、この冊子の上端縁を厚紙製の綴じ具により綴じるカレンダーであって、
前記冊子は、上端から綴じ代分程度下方の綴じ部に、冊子上端縁に沿った複数個の挿通孔が間隔をおいて設けられており、
前記綴じ具は、長さ方向に沿った中央折り線の両側に前記冊子の綴じ代分と同幅の綴じ片と、これらの綴じ片の下端にそれぞれ折り線を介して綴じ片の内側へ折り込まれる補強片とを有し、
一方の綴じ片に連設される補強片の前記冊子の挿通孔と対応する位置には、折り線と直交する向きの２本の切込み線による係止辺を設けるとともに、
他方の綴じ片と補強片との間の折り線上を含む綴じ片下方部には、前記冊子の挿通孔と対応する位置に差込み孔を設けて、
前記係止辺の先端を、冊子の挿通孔内へ挿通したのちに、前記綴じ片の下方部に設けられた差込み孔を通して綴じ片と補強片の間に挿着させた紙製綴じ具によるカレンダー。
【発明の詳細な説明】
【技術分野】
【０００１】
本発明は、丁合された複数枚のカレンダー頁の上端綴じ部を、厚紙製の綴じ具により綴じることで構成される月別カレンダーの構造に関するものである。
【背景技術】
【０００２】
従来より、月別カレンダーを構成する複数枚のカレンダー頁用冊子の上端綴じ部を綴じる手段としては、冊子の上端綴じ部を金属製の綴じ金具により加圧して巻き締めることで、複数枚のカレンダー頁用冊子を一体に固着する構造のものが広く知られている。
【０００３】
しかし、この種の冊子上端綴じ部を金属製の綴じ金具により加圧して巻き締める構造のカレンダーは、金属製綴じ金具が焼却不能のため、年末の廃棄処分時期に全国の焼却場に焼却不能な金属製綴じ金具が多量に送り込まれることによって、これが公害として問題となっている。
【０００４】
そのため、最近では、カレンダー冊子の上端綴じ部を焼却可能な厚紙製の綴じ具により綴じるようにしたカレンダーが広く使用されるようになった。この厚紙製綴じ具により冊子の上端綴じ部を綴じるカレンダーも、冊子の上端綴じ部に複数個の孔を開設して、この孔内にホットメルトのような熱可塑性樹脂接着剤を注入し、この注入されて接着剤により冊子上端綴じ部と綴じ具とを接着する構造のもの（特許文献１）（特許文献２）であるとか、厚紙製綴じ具の一辺に複数個の係止突片を突設して、これらの係止突片を冊子上端綴じ部に開設した接続孔に挿通してから、厚紙製綴じ具の反対側に設けた止め孔内に挿着する構造のもの（特許文献３）が知られている。
【０００５】
【特許文献１】実開平６−３６８６５号公報
【特許文献２】特開平６−２６２８７８号公報
【特許文献３】特開平１１−３２１１５６号公報
【発明の開示】
【発明が解決しようとする課題】
【０００６】
（特許文献１）乃至（特許文献３）のカレンダーは、カレンダー冊子の上端綴じ部を金属製綴じ金具により巻き締める構造に代えて、冊子の上端綴じ部を接着剤を介して厚紙製の綴じ具により綴じるので、年末の焼却処理に際しては、金属製綴じ金具によるものよりも焼却が可能となる面で適しているといえるが、接着剤として、速乾性が要求されるホットメルトのような熱可塑性樹脂接着剤が使用されるために、この樹脂系接着剤が燃焼することで有害ガスが発生し、これが新たな公害として問題となり、環境保全の点からみて、決して有効な改善策であるとはいえない面を有している。
【０００７】
このような接着剤が燃焼することで生ずる問題点を解消するためには、カレンダー冊子の上端綴じ部を、樹脂系接着剤を用いずに厚紙製の綴じ具により綴じることのできるようなカレンダーの構造が求められるが、接着剤を全く用いずに綴じ具を冊子上端縁に固定するという技術はきわめて難しく、複数枚の上質紙を変形することなく安定よく吊り下げて、かつ、月毎に冊子の１枚を下方へ引張って切り離すときでも、綴じ具が変形しないような構造とするためには、非常に難しい問題を解決しなければならない。また、とくに月別カレンダーは人目につく室内に取り付けられるものであるだけに、冊子の上端綴じ部や綴じ具の表面に冊子を固定するための突片などが露呈して、外観が損なはれることのないような構造としなければならない。
【課題を解決するための手段】
【０００８】
本発明は、従来の月別カレンダーにおける上記のような問題点を解消するための手段として、カレンダー冊子の上端綴じ部を綴じるための綴じ具を形成する綴じ片の下辺に、この綴じ片の幅と同じような幅の補強片を連設して、これらの補強片を、綴じ具における綴じ片の内側へ二重に折重ねることで、綴じ具に折曲げ力に対し十分な強度をもたせるとともに、一方の補強片に設けた複数個の係止辺を冊子上端綴じ部に設けた複数個の挿通孔内へ挿通してから、他方の綴じ片と補強片との間に設けた差込み孔内へ挿着することで、接着剤を全く用いずに、外観的にも美麗で耐久性のある月別カレンダーを製造できるようにしたものである。
【０００９】
本発明に係る紙製綴じ具によるカレンダーは、そのための具体的手段として、複数枚のカレンダー頁からなる冊子の上端綴じ部を厚紙製の綴じ具により綴じるカレンダーであって、前記冊子は、上端から綴じ代分程度下方部分に、冊子上端綴じ部に沿った複数個の挿通孔が間隔をおいて設けられており、前記綴じ具は、長さ方向に沿った中央折り線の両側に前記冊子の綴じ代分と同幅の綴じ片と、これらの綴じ片の下端にそれぞれ折り線を介して綴じ片の内側へ折り込まれる補強片とを有し、一方の綴じ片に連設される補強片の前記冊子の挿通孔と対応する位置には、折り線と直交する向きの２本の切込み線による係止辺を設けるとともに、他方の綴じ片と補強片との間の折り線上を含む綴じ片下方部には、前記冊子の挿通孔と対応する位置に差込み孔を設けて、前記係止辺の先端を、冊子の挿通孔内へ挿通したのちに、前記綴じ片の下方部に設けられた差込み孔を通して綴じ片と補強片の間に挿着させたことを特徴とするものである。
【発明の効果】
【００１０】
本発明のカレンダーは、複数枚のカレンダー冊子の上端綴じ部を綴じるための綴じ具を形成する綴じ片の下辺に、この綴じ片の幅と同じような幅の補強片を連設して、これらの補強片を綴じ片の内側へ二重に折重ねることで、綴じ具はそれぞれ前側２枚、裏側も２枚の紙片によって層厚に形成されるので、接着剤を使用しない紙製の綴じ具であっても、上下及び前後方向の折曲げ力に対して十分な強度を付与することができる。
【００１１】
この場合、それぞれの補強片は、綴じ片との間の折り線を介して綴じ片の内側に断面Ｖ字形の状態で折り畳まれているので、補強片に下方の折り線を中心にして元の下方位置へ戻ろうとする力が働き、この力が内側に位置する冊子上端綴じ部の前後両面を外側から圧着して、綴じ片と補強片とにより冊子上端綴じ部を前後両面から適切な力で挟着保持することができる。
【００１２】
また、一方の補強片に設けた複数個の係止辺を冊子上端綴じ部に設けた複数個の挿通孔内へ挿通してから、他方の綴じ片と補強片との間に設けた差込み孔内へ挿着すると、それぞれの係止辺は、冊子上端綴じ部の前後両面に位置する断面Ｖ字形に折り畳まれた綴じ片と補強片との間に挟着固定されることになり、この係止辺によりカレンダー冊子上端綴じ部を適切に保持することができる。
【００１３】
なお、一方の補強片に設けられた複数個の係止辺は、カレンダー冊子上端綴じ部の挿通孔を挿通した後に、他方の綴じ片下方部の差込み孔内を通して綴じ片の内側に挿着されるので、前後両面から見ても係止辺が外側に露呈することがなく、従って、接着剤を全く用いずに、外観的にも美麗で耐久性のある月別カレンダーを製造することができる。
【発明を実施するための最良の形態】
【００１４】
【実施例】
【００１５】
次に、本発明に係るカレンダーの好ましい実施形態の構成を、図面に示す実施例について説明すると、図１は、本発明のカレンダーの構成部材を示す斜視図であり、このカレンダーは、複数枚のカレンダー頁からなる冊子１と、この冊子１の上端縁１ａを綴じるための厚紙製綴じ具２とから構成されている。
【００１６】
冊子１は、上端から綴じ具による綴じ代分程度下がった綴じ部１ｂの下方に、冊子上端縁１ａに沿った複数個の挿通孔３が間隔をおいて設けられている。この挿通孔３は、後に述べる厚紙製の綴じ具２に設けられる係止辺７が貫通することができるような横幅をもった切込み線状のスリットであればよく、最終的に組み立てられたときに、溝の幅の下辺部分が露呈しないように、溝の幅があまり大きくないものであることが好ましい。
【００１７】
厚紙製綴じ具２は、長さ方向に沿った中央折り線２ａの両側に前記冊子上端綴じ部１ｂの綴じ代分と同幅の綴じ片４ａ，４ｂと、これらの綴じ片４ａ，４ｂの下端にそれぞれ折り線２ｂを介して連設された、綴じ片４ａ，４ｂの内側へ折り込まれるための補強片５ａ，５ｂとを有している。
【００１８】
図１に示すように、一方の綴じ片４ａに連設される補強片５ａにおける前記冊子１の挿通孔３と対応する位置には、折り線２ｂと直交する向きに平行な２本の切込み線６を設けることにより、挿通孔３に挿通できる幅を有する係止辺７が間隔をおいて設けられているとともに、図２に示すように、綴じ具２における他方の綴じ片４ｂと補強片５ｂとの間の折り線２ｂ上には、前記冊子１の挿通孔３と対応する位置に、前記係止辺７を挿通することのできる差込み孔８が間隔をおいて設けられている。
【００１９】
なお、この実施例において、差込み孔８は綴じ片４ｂと補強片５ｂとの間の折り線２ｂ上に設けるように述べたが、差込み孔８は必ずしも折り線２ｂ上に設けられていなけれならないことはなく、図９に示すように、折り線２ｂよりも若干上方の綴じ片４ｂに設けられているようなものでもよい。
【００２０】
上記カレンダーの組み立てに際しては、図１に示すように、カレンダー冊子１の綴じ部１ｂに綴じ具２を配置する。その際、図３及び図４に示すように、両面に設けた折り線２ｂの下方の補強片５ａ，５ｂを、いずれも上方の綴じ片４ａ，４ｂの裏面に折り重ねられるように折曲げてから配置する。
【００２１】
また、補強片５ａ，５ｂの折曲げの際には、図３に示すように、一方の補強片５ａに切込み線６を設けることで形成される係止辺７は、上方の綴じ片４ａの裏面へは折曲げずに、下方へ突出したままの形とする。
【００２２】
図３に示すように、係止辺７を除いた補強片５ａだけを綴じ片４ａの裏面へ折曲げた状態で、綴じ具２を冊子１の綴じ部１ｂ上に配置したのちは、係止辺７を冊子１の綴じ部１ｂ下方に設けた挿通孔３内へ挿通する。
【００２３】
次に、上記のようにして係止辺７を冊子綴じ部１ｂの挿通孔３へ挿通したのちは、図４に示すように、挿通孔３の裏側から突出した係止辺７の先端を、綴じ片４ｂと補強片５ｂとの間の折り線２ｂ上に設けられた差込み孔８内へ挿入し、図５に示すように、係止辺７が綴じ片４ｂと補強片５ｂとの接合面の間に挟まれるように十分に深く挿着する。
【００２４】
本発明のカレンダー冊子１の綴じ部１ｂを綴じる綴じ具２は、綴じ片４ａ，４ｂの下辺に折り線２ｂを介して同じような幅の補強片５ａ，５ｂを連設し、これらの補強片５ａ，５ｂを折り線２ｂによって綴じ片４ａ，４ｂの内側へ二重に折り重ねたので、綴じ具２の両面はそれぞれ前側が綴じ片４ａと補強片５ａの２枚、裏側も綴じ片４ｂと補強片５ｂの２枚の、断面Ｖ字形に折り重ねられた層の厚いバネ力のある紙片により形成され、強い力で冊子綴じ部１ｂを綴じることができる。
【００２５】
つまり、図８に示した実施例のように、もしも綴じ具２が、補強片５ａ，５ｂを有さない綴じ片４ａ，４ｂだけで形成されている場合は、綴じ片４ａ，４ｂは上方の折り線２ａを中心にして、矢印Ｅのように外側方向へ拡がろうとする力が働く。そのため、一方の綴じ片４ａから突出する係止辺７を冊子綴じ部１ｂの挿通孔３を通してから、他方の綴じ片４ｂの差込み孔８内へ挿入したとしても、綴じ片４ａ，４ｂが接着剤により冊子綴じ部１ｂを固定しているわけではないので、冊子綴じ具２は挿通孔３内に挿通される係止辺７だけで冊子１の荷重を支えることになり、月毎にカレンダー頁を一枚ずつ切り離すように下方へ引っ張ると、係止辺７が差込み孔８及び挿通孔３から引き抜かれてしまい。強度のある綴じ構造を得ることができない。
【００２６】
これに対し、本発明のカレンダーでは、図７に示すように、補強片５ａ，５ｂが折り線２ｂを中心にして綴じ片４ａ，４ｂの裏面に折り重ねられているために、補強片５ａ，５ｂは下方の折り線２ｂを中心にして綴じ具２内の中心方向へ拡がろうとする力を発揮し、補強片５ａ，５ｂが互いに矢印Ｆのように内側方向へ押し合うような力を与えることになる。
【００２７】
その結果、この状態で綴じ具２が冊子綴じ部１ｂの上方へ配置されると、補強片５ａ，５ｂが冊子綴じ部１ｂの前面及び後面を両面から圧接することになるので、係止辺７を冊子綴じ部１ｂの挿通孔３を経由して、反対側の折り線２ｂに開設された差込み孔８内へ十分深くに挿入すると、補強片５ａ，５ｂが冊子綴じ部１ｂを両面から圧接して、接着剤を用いなくとも厚紙製綴じ具２だけで冊子綴じ部１ｂを綴じることができ、しかも綴じ具として十分な強度を付与することができる。
【００２８】
また、係止辺７が冊子綴じ部１ｂの挿通孔３を経由して、反対側の折り線２ｂに開設された差込み孔８内へ十分に挿入されると、図５に示すように、係止辺７は綴じ片４ｂと補強片５ｂとの間に挟着保持されるため、月毎にカレンダー頁を一枚ずつ切り離すように下方へ引っ張ても、係止辺７は綴じ片４ｂと補強片５ｂとの間にぴったりと挟着されて、綴じ片４ｂと補強片５ｂの間から引き離されることがなく、接着剤を用いなくとも係止辺７の固定強度が十分な構造とすることができる。
【産業上の利用可能性】
【００２９】
本発明のカレンダーでは、綴じ具２と冊子１とを連結するための係止辺７が、一方の綴じ片４ａから突出した後に冊子綴じ部１ｂの挿通孔３内部へ挿通され、また、綴じ部１ｂの挿通孔３から突出した後は反対側の綴じ片４ｂと補強片５ｂの間の差込み孔８内を通して綴じ片４ｂの内側へ挿入されて、カレンダー冊子１の表側及び裏側からは全く見えなくなるので、商品としての体裁も良好で、実用性があり、しかも接着剤を一切使用しないので、環境問題にも適切に対応できるという利点を有している。
【図面の簡単な説明】
【００３０】
【図１】本発明のカレンダーの部品構成を示す斜視図
【図２】図１に示した部品の一部を裏面側から見た斜視図
【図３】カレンダー冊子の上部に綴じ具２を配置した状態の部分斜視図
【図４】図３に示した部品を裏面側から見た部分斜視図
【図５】図１のＡ−Ａ線における断面図
【図６】図１のＢ−Ｂ線における断面図
【図７】本発明のカレンダー綴じ構造における綴じ具の補強片に作用する綴じ力の方向を示す断面図
【図８】綴じ具に補強片を設けない実施例の場合に、綴じ片に作用する綴じ力の方向を示す断面図
【図９】係止辺を挿入する差込み孔の位置を、一方の綴じ片に設けた実施例の部分斜視図
【符号の説明】
【００３１】
１：カレンダー冊子、
１ａ：冊子上端縁、
１ｂ：綴じ部、
２：綴じ具、
２ａ：中央折り線、
２ｂ：折り線、
３：挿通孔、
４ａ，４ｂ：綴じ片、
５ａ，５ｂ：補強片、
６：切込み線、
７：係止辺、
８：差込み孔、
【図１】
0004426517.tif 000002
【図２】
0004426517.tif 000003
【図３】
0004426517.tif 000004
【図４】
0004426517.tif 000005
【図５】
0004426517.tif 000006
【図６】
0004426517.tif 000007
【図７】
0004426517.tif 000008
【図８】
0004426517.tif 000009
【図９】
0004426517.tif 000010